(57)【要約】【課題】複数の光学素子を組み合わせて一体とした光学ユニットを組み立てるにあたり、簡易な工程で組立後の光学ユニットの個々の光学素子の位置精度を向上する。【解決手段】樹脂からなる光学素子とガラスからなる光学素子とを組み合わせて一体とした部分を有する光学ユニットを組み立てるにあたり、前記樹脂からなる光学素子の光学機能部周縁に受容部を設け、ガラスからなる光学素子の光学機能部周縁を該受容部にはめ込んで嵌合する構成とし、加温により該樹脂からなる光学素子の受容部を熱膨張させて、ガラスからなる光学素子をはめ込む光学素子の作製方法。【選択図】        図２
2004205775.tif 000002
【特許請求の範囲】
【請求項１】
樹脂からなる光学素子とガラスからなる光学素子とを組み合わせて一体とした部分を有する光学ユニットを組み立てるにあたり、前記樹脂からなる光学素子の光学機能部周縁に受容部を設け、ガラスからなる光学素子の光学機能部周縁を該受容部にはめ込んで嵌合する構成とし、加温により該樹脂からなる光学素子の受容部を熱膨張させて、ガラスからなる光学素子をはめ込むことを特徴とする光学ユニットの作製方法。
【請求項２】
樹脂からなる光学素子とガラスからなる光学素子とを組み合わせて一体とした部分を有する光学ユニットを組み立てるにあたり、前記樹脂からなる光学素子の光学機能部周縁に受容部を設け、ガラスからなる光学素子の光学機能部周縁を該受容部にはめ込んで嵌合する構成とし、該樹脂からなる光学素子を成型して型抜きした後、冷却前にガラスからなる光学素子をはめ込むことを特徴とする光学ユニットの作製方法。
【発明の詳細な説明】
【０００１】
【発明の属する技術分野】
本発明は、樹脂からなる光学素子とガラスからなる光学素子を組み合わせて一体とした光学素子の作製方法に関し、詳しくは、簡易な工程で組立後の光学ユニットの個々の光学素子の位置精度が向上できる光学素子の作製方法に関する。
【０００２】
【従来の技術】
近年、４００〜４５０ｎｍという短波長の青紫色レーザを使用した光記録方式を用いる、次世代ＤＶＤの開発に電気・情報通信分野の各社がしのぎを削っている。これは高開口数レンズとの併用により、６５０ｎｍ程度の赤色レーザを用いる現在のＤＶＤに比べて高密度の記録が行なえるものである。
【０００３】
ところで単レンズで光ピックアップ用対物レンズの高開口数を達成することは、両光学面のシフト等によるレンズ性能への誤差感度が大きくなり、更に光ピックアップの光源に４００ｎｍ程度の青紫色レーザを使用するといった光源波長の短波長化を図る場合にはその誤差感度が更に著しく大きくなるため、金型製作や成型における技術的難度が高くなり、その実現は極めて難しいという問題がある。また、難度の高い技術を駆使して最終的に得られたレンズは、必然的に高価なものとならざるを得ないという問題もある。
【０００４】
その問題を解消するために、本出願人は２以上のプラスチックモールドレンズを組み合わせて一体化した光ピックアップ用対物レンズを提案し、実用に供した（例えば特許文献１参照）。
【０００５】
更に短波長のレーザを用いる光記録の場合、レーザダイオードの発振波長が急激に変化すると、光ディスクの記録面上の集光スポットの位置がズレ、あまりに急激であるとフォーカシングが追いつかない問題を避けるため、色収差補正素子をレンズと一体化して併用するのが実用的である（色収差補正素子については、例えば特許文献２参照）。
【０００６】
【特許文献１】
特開２００２−２６９７９４号公報
【０００７】
【特許文献２】
特開平６−８２７２５号公報
【０００８】
【発明が解決しようとする課題】
上記のような理由から、例えば次世代ＤＶＤに対応する光ピックアップ用対物レンズとしての、複数の光学素子（レンズを含む）を組み合わせて一体化したもの（以下、光学ユニット）は図１に示す様な形態となる。
【０００９】
図１（ａ）はレーザ光源側から見た背面図であり、図１（ｂ）は図１（ａ）のＰ−Ｐ断面を示す。
【００１０】
レーザ光源からの光束は、ビームスプリッタを透過し、コリメータレンズを介して平行光束にされ、１／４波長板を透過し（以上、図示せず）、図１（ｂ）の如く色収差補正素子１１に入射する様に構成される。この色収差補正素子１１は上記特許文献２に記載のものと同様の構造で、樹脂により成形されている。１２は結像系を構成する光学素子であり、ここではガラスレンズである。なお１３は光ディスクであり、１３ａは透明保護層である。この様に、機能により色収差補正と結像に関わる部分を分離した構成の光学ユニット１０とすることで、個々の金型制作や成型を容易にでき、安定的製造が可能になる。
【００１１】
しかしながら、この様に光学素子を一体化するに当たって、色収差補正素子１１とガラスレンズ１２の光軸方向の相対的位置決めにより両者の間隔を所定の距離にし、光軸に垂直な方向の相対的位置決めにより色収差補正素子１１の光軸とガラスレンズ１２の光軸とを一致、もしくは所望の範囲内のずれ量とする必要があり、この様な、軸方向の相対的位置決め、或いは光軸に垂直な方向の相対的位置決めを高精度に行う組み立て工程はいくつもの工数を有する複雑なものであった。
【００１２】
本発明は上記の事情に鑑みてなされたものであり、その目的は、複数の光学素子を組み合わせて一体とした光学ユニットを組み立てるにあたり、簡易な工程で組立後の光学ユニットの個々の光学素子の位置精度を向上することにある。
【００１３】
【課題を解決するための手段】
本発明の上記目的は、
１）  樹脂からなる光学素子とガラスからなる光学素子とを組み合わせて一体とした部分を有する光学ユニットを組み立てるにあたり、前記樹脂からなる光学素子の光学機能部周縁に受容部を設け、ガラスからなる光学素子の光学機能部周縁を該受容部にはめ込んで嵌合する構成とし、加温により該樹脂からなる光学素子の受容部を熱膨張させて、ガラスからなる光学素子をはめ込む光学ユニットの作製方法、
２）  樹脂からなる光学素子とガラスからなる光学素子おを組み合わせて一体とした部分を有する光学ユニットを組み立てるにあたり、前記樹脂からなる光学素子の光学機能部周縁に受容部を設け、ガラスからなる光学素子の光学機能部周縁を該受容部にはめ込んで嵌合する構成とし、該樹脂からなる光学素子を成型して型抜きした後、冷却前にガラスからなる光学素子をはめ込む光学ユニットの作製方法、
によって達成される。
【００１４】
即ち本発明者は、樹脂材料の熱膨張率が非常に大きいことに着目し、樹脂からなる光学素子に設ける、ガラスからなる光学素子の光学機能部周縁の受容部を、光学ユニットの使用環境温度（常温）ではガラス光学素子がはめられない大きさに形成し、加温によって膨張させ、又は成型して型抜きした後の冷却前で、嵌合可能なサイズの時に、ガラス光学素子の光学機能部周縁を受容部の所定位置まで押し込んで嵌合させ、冷却して閉まり締めにすると、組立後の両光学素子のクリアランスを０〜数μｍとすることができて、組立後の光学ユニットの個々の光学素子の位置精度を向上できることを見出し、本発明に至った。
【００１５】
【発明の実施の形態】
以下、図も用いて本発明の実施形態について説明するが、本発明はこれに限定される訳ではない。
【００１６】
図２は本発明に係る光学ユニットの作製工程の１例をモデル的に断面図で示すものである。
【００１７】
図の工程においては、図示しない駆動系で矢印方向に間欠的に移動される搬送台１００上に、光学素子の台座となり、双方向に回転するネスト１１１、１１２が等間隔で配置される。ここでは、ネスト１１１の台座１１３に樹脂からなる色収差補正素子１１が光学素子供給装置１２１により設置され、図示しないファンにより温風が吹き付けられ、色収差補正素子１１の光学機能部周縁のガラスレンズ受容部を熱膨張させ、嵌合可能なサイズの時に、光学素子供給装置１２１によりガラスレンズ１２を供給し、２つの光学素子が重ねられた状態でネスト１１２の位置に進み、レンズ押さえ１３０の圧接部１３２で押圧され、ガラスレンズが所定位置まで押し込まれて勘合され、図示しない冷却ファンで冷却されて閉まり締めにされる。嵌合が終了すると図示しない光学ユニット取り出し手段により光学ユニット１０は取り出されて次工程に搬送される。
【００１８】
なお加温は、温風の吹きつけばかりではなく、ネスト１１１の台座１１３や、光学素子供給装置１２１の先端１２２にヒータを内蔵させる等、様々な形態をとり得る。
【００１９】
ここでネスト１１１に供給される色収差補正素子１１が、成型されて型抜き直後のもので有れば、温風などで加温して熱膨張させる必要が無く好ましい。
【００２０】
色収差補正素子１１の設置、ガラスレンズ１２の供給、レンズ押さえ１３０の圧接部１３２の当接の各位置決めはネストの回転で調整される。なお嵌合後光学素子同士の当接部周縁を接着剤や超音波溶着で補強してもよく、その場合もネストの回転に伴って処理が行われる。なお接着剤を用いる場合は紫外線硬化性のものが好ましい。
【００２１】
光学素子供給装置１２１は昇降可能に構成され、ネスト１１１の台座１１２に先端１２２が接触する状態で光学素子供給路１２３から吸引により素子が供給され、ネスト１１１の回転により位置決めされて配置される。
【００２２】
レンズ押さえ１３０は設置部材（図示せず）に保持されて下降し、ネスト１１２の回転により押圧部材１３２と光学ユニット１０の位置合わせがされてローレット１１２上に設置される。押圧部材１３２の先端は光学ユニット１０を保護するためゴムなどの弾性部材で構成される。なおレンズ押さえ１３０の下端部１３４も弾性部材から構成されると、光学ユニットへの押圧が均等に行われ好ましい。
【００２３】
なお１０１はサクション等により塵芥を取り除く塵芥除去穴である。
また例えば図３（ａ）に示す如く、色収差補正素子に設ける受容部１１ａについては、その内径をガラスレンズの光学機能部周縁の外径よりも大きく形成すると共に、突起部１１ｂを３つ設け、当該突起部でガラスレンズと嵌合する形態とすれば、ロットの金型に起因して多少受容部形状にバラツキが生じても、突起形状の調整により精度良く光軸を合わせることができる。
【００２４】
他の受容部１１ａの形態として、図３（ｂ）の様に、切り欠き１１ｃを３カ所に入れた形態とすれば、ガラスレンズを押し込んで嵌合する際の押圧力を小さくすることができる。更に嵌合壁１１ｄの内径をガラスレンズの光学機能部周縁の外径よりも大きく形成し、上記の様な突起部１１ｂを設けることもできる。
【００２５】
【発明の効果】
本発明によれば、複数の光学素子を組み合わせて一体とした光学ユニットを簡易な工程で組立後の光学ユニットの個々の光学素子の位置精度良く組み立てることができる。
【図面の簡単な説明】
【図１】光ピックアップ用対物レンズとしての、複数の光学素子を組み合わせて一体化した光学ユニットの１例を示す図である。
【図２】本発明に係る光学ユニットの作製工程の１例をモデル的に示す断面図である。
【図３】樹脂からなる光学素子に設けるガラスからなる光学素子の受容部の構成例を示す図である。
【符号の説明】
１０  光学ユニット
１１  色収差補正素子
１２  ガラスレンズ
１３  光ディスク
１００  搬送台
１０１  塵芥除去穴
１１１、１１２  ネスト
１２１  光学素子供給装置
１３０  レンズ押さえ
【図１】
2004205775.tif 000003
【図２】
2004205775.tif 000004
【図３】
2004205775.tif 000005